(57)【要約】【課題】従来よりも小さな力でも車両シート後方側からストラップを引っ張ってシートバックを引き起こすことができる車両シート操作用のストラップを提供する。【解決手段】シートクッション２とシートバック３とを含む車両シート１のシートバック３の背面に設けられ、車両シート１のロック機構に連結されて該ロック機構を解除操作し、車両シート１のシートバック３が折り畳まれたロック解除状態において、車両シート１の後方側から引っ張ってシートバック３を引き起こし操作可能な車両シート操作用のストラップに関する。シートバック３の背面には、車両前後方向へ回動自在に設けられたプレート１０が配されており、当該プレート１０は、シートバック３に近接する方向に付勢されて、その回動限界がシートバック３の背面から起立した状態となるように設定されている。そして、ストラップ２０は、プレート１０の回動先端側に結束されていることを特徴とする。【選択図】図１
2008062829.tif 000002
【特許請求の範囲】
【請求項１】
シートクッションとシートバックとを含む車両シートのシートバックの背面に設けられ、前記車両シートのロック機構に連結されて該ロック機構を解除操作し、前記車両シートのシートバックが折り畳まれたロック解除状態において、前記車両シート後方側から引っ張って前記シートバックを引き起こし操作可能な車両シート操作用のストラップであって、
前記シートバックの背面には、車両前後方向へ回動自在に設けられたプレートが配されており、
前記プレートは、前記シートバックに近接する方向に付勢されて、その回動限界が前記シートバックの背面から起立した状態となるように設定されており、
前記ストラップは、前記プレートの回動先端側に結束されていることを特徴とする車両シート操作用のストラップ。
【請求項２】
前記プレートは、前記シートバックの背面に凹設された収納凹部内に設けられており、
前記プレートの回動限界は、該プレートが前記収納凹部の側壁に当接することで規定されることを特徴とする車両シート操作用のストラップ。
【発明の詳細な説明】
【技術分野】
【０００１】
本発明は、車両に配備される車両シートを操作するためのストラップに関し、詳しくは車両シートのシートバックの背面に設けられ、車両シートのリクライニング機構のロック機構に連結されて該ロック機構を解除操作し、車両シートのシートバックが折り畳まれたロック解除状態において、車両シート後方側から引っ張ってシートバックを引き起こし操作可能な車両シート操作用のストラップに関する。
【背景技術】
【０００２】
この種の車両シート操作用ストラップとして、特許文献１がある。特許文献１では、図５に例示するごとくシートバック３の背面側にリクライニング機構４のロック機構を解除するストラップ２０が備え付けられている。このストラップ２０は、ワイヤー５を介してリクライニング機構４のロック解除用部材に繋がれている。そして、使用者がストラップ２０を下方へ引っ張りリクライニング機構４のロックを解除すると、シートクッション２とシートバック３とが折り畳まれる。この状態からストラップ２０を後方へ引っ張ることにより、車両シート１の後方側からシートバック３を起立姿勢に引き起こすよう操作できるようになっている（図６参照）。これにより、ストラップ２０を把持したまま、リクライニング機構４のロック解除およびシートバック３の折り畳み、引き起こし操作をすることができ、車両シート１の後方からでも使用者は楽な姿勢でシートバック３の引き起こし操作をすることができる。
【０００３】
【特許文献１】特開２００６−８２７５２号公報
【発明の開示】
【発明が解決しようとする課題】
【０００４】
しかしながら、特許文献１のストラップ２０は、図５に例示するように、車両シート１のシートバック３に直接結束されているので、ストラップ２０の結束部はシートバック３の裏面と略同一面にある。これでは、図６に示すシートバック３の折り畳み状態から、ストラップ２０を後方に引っ張ってシートバック３を引き起こし操作する際には、引っ張り荷重が大きく、大きな力が必要である。すなわち、図４に示すように、ストラップ２０とシートバック３との結束部にある力点と、リクライニング機構４の回動中心からストラップ２０の引っ張り方向と平行に引いた直線（一点鎖線で表示）との垂直距離Ｌ1が短いため、引っ張り荷重Ｆを与えたときにリクライニング機構４のヒンジ部に作用する回転モーメントＭ1が小さく、シートバック３を引き起こすのに大きな力を要した。
【０００５】
そこで本発明は、従来よりも小さな力で車両シート後方側からストラップを引っ張ってシートバックを引き起こすことができる車両シート操作用のストラップを提供することを目的とする。
【課題を解決するための手段】
【０００６】
上記課題を解決するために、請求項１に記載の本発明は、シートクッションとシートバックとを含む車両シートのシートバックの背面に設けられ、前記車両シートのロック機構に連結されて該ロック機構を解除操作し、前記車両シートのシートバックが折り畳まれたロック解除状態において、前記車両シート後方側から引っ張って前記シートバックを引き起こし操作可能な車両シート操作用のストラップに関する。前記シートバックの背面には、車両前後方向へ回動自在に設けられたプレートが配されており、当該プレートは、前記シートバックに近接する方向に付勢されて、その回動限界が前記シートバックの背面から起立した状態となるように設定されている。そして、前記ストラップは、前記プレートの回動先端側に結束されていることを特徴とする。
【０００７】
請求項２に記載の本発明は、請求項１に記載の車両シート操作用ストラップにおいて、前記プレートは前記シートバックの背面に凹設された収納凹部内に設けられており、プレートの回動限界は、当該プレートが前記収納凹部の側壁に当接することで規定されることを特徴とする。
【発明の効果】
【０００８】
本発明の車両シート操作用のストラップによれば、ストラップがシートバックの背面側に回動自在に設けられたプレートの回動先端側に結束されているので、シートバックが折り畳まれた状態において車両シート後方側からストラップを後方へ引っ張ってシートバックを引き起こすとき、シートバックに近接する方向へ付勢されているプレートがシートバックの背面から立設した状態となる。すなわち、ストラップとプレートとの結束部にある力点が、従来のようにストラップがシートバックの裏面と略同一面に結束されている場合に比べて垂直方向上方へ移動する。したがって、力点が垂直方向上方へ移動した分、リクライニング機構の回動中心からストラップの引っ張り方向と平行に引いた直線との垂直距離も従来より長くなるので、シートバックを引き起こす荷重が低減され、従来よりも小さな力でシートバックの引き起こし操作が可能であり、操作を楽にできる。
【０００９】
プレートをシートバックの背面に凹設された収納凹部内に設けていれば、シートバックの背面に従来にはなかった部材であるプレートを追加設置しても、当該プレートがシートバックに近接する方向に付勢されて不使用時には収納凹部内に収納された状態となっているので、プレートがシートバック背面から突出することがなく、使用者に邪魔にならず、外観体裁を良くできる。
【００１０】
また、プレートの回動限界が、プレートが回動して収納凹部の側壁に当接することで規定される構成となっていれば、プレートの回動限界を規定するための特別な機構や部材を設ける必要がなく、部品点数の増加を避けて生産や組み立て作業が容易となる。
【発明を実施するための最良の形態】
【００１１】
以下に、図１ないし図４を参照しながら本発明に係る車両シート操作用ストラップの実施の形態を説明するが、これに限定されることはなく、本発明の要旨を変更しない範囲において種々の変更が可能であることはいうまでもない。図１は、本発明に係る車両シート操作用ストラップを備えた車両シートの側面図を示している。図２は、車両シート操作用ストラップの不使用状態を示した要部拡大断面図である。図３は、図２の状態から連続する状態であって、車両シート操作用ストラップの使用状態を示した要部拡大断面図である。図４は、従来の車両シート用ストラップと、本発明に係る車両シート用ストラップとを比較した模式図である。
【００１２】
図１において、本実施形態に係る車両シート１は、着座部となるシートクッション２と、背もたれとしてのシートバック３とを有している。図１は、車両シート１の基本的使用状態を示しており、シートバック３がシートクッション２に対して起立した状態となって、この状態が図外のロック機構によってロック維持されている。シートバック３はリクライニング機構４によって車両前後両方向に回動可能であり、車両前方側へ付勢されていることによってシートバック３のロックを解除して回動フリー状態とすると、シートバック３は車両前方側へ折り畳まれて、シートクッション２上に重なった状態となる（図６参照）。
【００１３】
シートバック３の背面には、車両前後方向へ回動自在に設けられたプレート１０が設けられており、このプレート１０の回動先端側にストラップ２０が結束されている。プレート１０は、ワイヤー５を介してシートバック３のロック機構に連結されており、ストラップ２０を引っ張るとこれに連動してプレート１０が回動し、ワイヤー５を介してロック機構を解除操作できるように構成されている。
【００１４】
プレート１０とストラップ２０について詳しく説明する。図２及び図３に良く示されるように、プレート１０は長尺状の平板部材であって、シートバック３の背面壁に凹設された収納凹部６内に設けられている。プレート１０の長手方向一端側（リクライニング機構４側）がシートバック３に固定されたヒンジ１１によって回動自在に軸支されており、回動先端側となる長手方向他端側に形成したバー１２にストラップ２０が結束されている。また、プレート１０はヒンジ１１によってシートバック３に近接する方向に付勢されており、これの不使用状態においては、収納凹部６内にシートバック３の背面と略面一状に収納されている。プレート１０の回動基端には、シートバック３の内側へ突出する突出片１３が一体的に形成されており、この突出片１３の先端側にワイヤー５が結着されている。
【００１５】
ストラップ２０は所定長さを有する紐状の部材であり、その自由端はリング状に形成されてグリップ部２１となっている。
【００１６】
次に、本実施形態の車両シート操作用ストラップを用いて、車両シート１を操作する機構について説明する。上述のように、図１に示す車両シート１の使用状態、すなわちシートバック３の起立状態においてストラップ２０を下方に引っ張ると、プレート１０が図２の不使用状態から図３の使用状態に回動変位し、これに伴ってプレート１０の突出片１３の先端が上方（リクライニング機構４から離間する方向）へ変位することでワイヤー５が引っ張られてシートバック３のロック状態が解除される。この操作により、シートバック３が折り畳まれてシートクッション２上に重なる（図６参照）。この折り畳み姿勢からシートバック３を起立姿勢に戻すには、車両シート１の後方からストラップ２０を後方へ引っ張って引き起こすことができる。
【００１７】
ストラップ２０の不使用状態では、プレート１０はシートバック３に近接する方向へ付勢されていることにより、図２に示すごとく収納凹部６内にシートバック３の背面（収納凹部６の奥壁）と平行な（伏倒した）状態で収納されている。この状態からストラップ２０を後方へ引っ張ると、これに連動してプレート１０がヒンジ１１を回動中心として回動し、図３に示すごとくシートバック３の背面から起立した状態となる。このとき、プレート１０が収納凹部６のリクライニング機構４側の側壁６ａに当接することでその回動限界が規定され、シートバック３の背面に対して略垂直な状態で起立している。
【００１８】
このように、ストラップ２０を引っ張ることによってプレート１０がシートバック３の背面から起立した状態となることで、プレート１０の長さ分シートバック３を引き起こす際の力点が上方へ変移し、この力点とリクライニング機構４の回動中心からストラップ２０の引っ張り方向と平行に引いた直線との垂直距離が長くなる。すなわち、図４において、従来のようにストラップ２０をシートバック３に直接結束してストラップ２０の結束部がシートバック３の裏面と略同一面にある場合は、ストラップ２０の結束部にある力点とリクライニング機構４の回動中心からストラップ２０の引っ張り方向と平行に引いた直線（一点鎖線で表示）との垂直距離はＬ1となる。これに対して、ストラップ２０をプレート１０の回動先端に結束した本発明では、ストラップ２０の結束部にある力点とリクライニング機構４の回動中心からストラップ２０の引っ張り方向と平行に引いた一点鎖線で示す直線との垂直距離はＬ2であって、従来の距離Ｌ1よりも長くなっている。これにより、図４によく示されるように、ストラップ２０の引っ張り荷重Ｆが同じままでも、従来のようにストラップ２０の結束部がシートバック３の裏面と略同一面にある場合の、リクライニング機構４のヒンジ部に作用する回転モーメントＭ1よりも、本実施形態での同回転モーメントＭ2の方が大きくなる。以って、シートバック３の引き起こし操作に要する力が従来よりも低減される。
【００１９】
本発明では、力点を上方へ変位させることで、リクライニング機構４の回動中心からストラップ２０の引っ張り方向と平行に引いた直線との垂直距離Ｌ2の長さを従来よりも長くする点が注目される。したがって、プレート１０の回動限界は、当該垂直距離Ｌ2を従来の垂直距離Ｌ1よりも長くし得る限り特に限定されることはなく、この点を鑑みて適宜調整することができる。具体的には、シートバック３の背面に対して２０〜１６０度、好ましくは５０〜１３０度、より好ましくは８０〜１００度、最も好ましくは９０度である。プレート１０の起立角度をシートバック３の背面に対して９０度未満に設定する場合は、プレート１０の回動基端側の収納凹部６の側壁上部から、内方向へ当接片を突出形成するなどすることができる。プレート１０の回動限界の角度がシートバック３の背面に対して小さすぎたり大きすぎたりすると、力点の上方変位量が少なくて垂直距離Ｌ2の長さを十分に延長できないからである。
【００２０】
車両シート１が、ヘッドレストやシートレッグなどを有する場合は、プレート１０をこれらのロック機構に連結してもよい。
【図面の簡単な説明】
【００２１】
【図１】車両シートの側面図である。
【図２】ストラップの不使用状態を示す要部拡大断面図である。
【図３】ストラップの使用状態を示す要部拡大断面図である。
【図４】従来のストラップと本発明に係るストラップの回転モーメント等を比較した模式図である。
【図５】従来の車両シートの使用状態を示す側面図である。
【図６】従来の車両シートの折り畳み状態を示す側面図である。
【符号の説明】
【００２２】
１  車両シート
２  シートクッション
３  シートバック
６  収納凹部
１０  プレート
２０  ストラップ
Ｆ  ストラップを引っ張る荷重
Ｌ  垂直距離
Ｍ  回転モーメント
【図１】
2008062829.tif 000003
【図２】
2008062829.tif 000004
【図３】
2008062829.tif 000005
【図４】
2008062829.tif 000006
【図５】
2008062829.tif 000007
【図６】
2008062829.tif 000008
【手続補正書】
【提出日】平成18年9月8日(2006.9.8)
【手続補正１】
【補正対象書類名】特許請求の範囲
【補正対象項目名】請求項２
【補正方法】変更
【補正の内容】
【請求項２】
前記プレートは、前記シートバックの背面に凹設された収納凹部内に設けられており、
前記プレートの回動限界は、該プレートが前記収納凹部の側壁に当接することで規定されることを特徴とする請求項１に記載の車両シート操作用のストラップ。